(57)【要約】      （修正有）【課題】利便性及び汎用性を高めるとともに、上着のポケットやバッグ等に入れて容易に持ち歩き可能にして携帯性を高めた歩行者用バックミラーを提供する。【解決手段】歩行者が後方を見るためのバックミラーであって、後方に向ける主面部２ｍに少なくとも歩行時に後方を見ることができる鏡面部２ｍｃを設けてなるミラー部２と、このミラー部２に設けることにより当該ミラー部２を、少なくとも歩行時に携帯する携帯品Ｐの棒体部Ｐｐに着脱可能な着脱部３とを備える。必要により主面部２ｍに設けた鏡面部２ｍｃ以外の面には反射面部２ｍｒを設けることができる。【選択図】図１
0003198477.tif 000002
【実用新案登録請求の範囲】
【請求項１】
歩行者が後方を見るための歩行者用バックミラーであって、後方に向ける主面部に少なくとも歩行時に後方を見ることができる鏡面部を設けてなるミラー部と、このミラー部に設けることにより当該ミラー部を、少なくとも歩行時に携帯する携帯品の棒体部に着脱可能な着脱部とを備えてなることを特徴とする歩行者用バックミラー。
【請求項２】
前記ミラー部は、前記主面部に設けた鏡面部以外の面に、反射面部を設けてなることを特徴とする請求項１記載の歩行者用バックミラー。
【請求項３】
前記ミラー部は、異なる複数の鏡面部を切換可能に構成することを特徴とする請求項１又は２記載の歩行者用バックミラー。
【請求項４】
前記着脱部は、前記棒体部を圧接により挟むクリップ部により構成することを特徴とする請求項１記載の歩行者用バックミラー。
【請求項５】
前記着脱部は、前記ミラー部に格納可能に構成することを特徴とする請求項１又は４記載の歩行者用バックミラー。
【請求項６】
前記携帯品には、少なくとも、雨傘及び日傘を含む傘類，ステッキの一以上を含むことを特徴とする請求項１記載の歩行者用バックミラー。
【考案の詳細な説明】
【技術分野】
【０００１】
本考案は、道路を歩く歩行者が後方を確認する際に用いて好適な歩行者用バックミラーに関する。
【背景技術】
【０００２】
一般に、センターラインの無い比較的狭い道路、例えば、路地や山道等を歩行する場合、後方から接近する自動車に対して接触事故等が生じないように常に注意する必要があり、特に、電柱を避けたり道幅の狭い区間では、歩行者は後を振り向きながら注意して歩かなければならない煩わしさがある。このため、道路を歩く歩行者が後を振り向くことなく後方を確認できるようにした洋傘も提案されている。
【０００３】
従来、この種の洋傘としては、特許文献１で開示されるバックミラーを備えた洋傘が知られている。この洋傘は、特に、雨天の際の歩行中に後から来た自転車や自動車やその他のもの等に気付かずに或いは気を取り過ぎて事故にあう問題を解消しようとするものであり、所要個所にバックミラーを備えたことを特徴とする。
【先行技術文献】
【特許文献】
【０００４】
【特許文献１】実開昭６３−１７５４２０号公報
【考案の概要】
【考案が解決しようとする課題】
【０００５】
しかし、上述したバックミラーを備えた従来の洋傘は、次のような問題点があった。
【０００６】
第一に、いわば洋傘の付属品として製作されるとともに、特に、雨天を考慮しているため、雨天に使用する洋傘以外には使用できない或いは使用しにくいなど、利便性及び汎用性に欠ける。しかも、バックミラーを洋傘本体から取外した場合、バックミラーは邪魔な存在になるなど、付属品としての携帯性が考慮されていない。
【０００７】
第二に、付属するバックミラーは、バックミラーのみの機能に止まるため、多機能性及び多様性の観点からは必ずしも十分と言えるものではない。特に、安全性に関しては、歩行者自身による安全確認に止まり、安全性をより高める観点からは更なる改善の余地があった。
【０００８】
本考案は、このような背景技術に存在する課題を解決した歩行者用バックミラーの提供を目的とするものである。
【課題を解決するための手段】
【０００９】
本考案に係る歩行者用バックミラー１は、上述した課題を解決するため、歩行者Ｈが後方を見るためのバックミラーであって、後方に向ける主面部２ｍに少なくとも歩行時に後方を見ることができる鏡面部２ｍｃを設けてなるミラー部２と、このミラー部２に設けることにより当該ミラー部２を、少なくとも歩行時に携帯する携帯品Ｐの棒体部Ｐｐに着脱可能な着脱部３とを備えてなることを特徴とする。
【００１０】
この場合、考案の好適な態様により、ミラー部２は、主面部２ｍに設けた鏡面部２ｍｃ以外の面に、反射面部２ｍｒを設けることが望ましい。また、ミラー部２は、異なる複数の鏡面部２ｍｃ，２ｍｐを切換可能に構成することもできる。一方、着脱部３は、棒体部Ｐｐを圧接により挟むクリップ部１１により構成することができるとともに、この着脱部３は、ミラー部２に格納可能に構成することができる。なお、携帯品Ｐには、少なくとも、雨傘及び日傘を含む傘類Ａ，ステッキの一以上を含ませることができる。
【考案の効果】
【００１１】
このような構成を有する本考案に係る歩行者用バックミラー１によれば、次のような顕著な効果を奏する。
【００１２】
（１）  道路を歩く歩行者（使用者Ｈ）が後を振り向くことなく後方を確認できる利便性を具備することに加えて、歩行時に携帯する携帯品Ｐ、例えば、雨傘及び日傘を含む傘類Ａ，ステッキ等における棒体部Ｐｐに対して着脱できるため、利便性及び汎用性に優れるとともに、棒体部Ｐｐとバックミラー１は着脱することを前提に構成するため、バックミラー１を携帯する際には、上着のポケットやバッグ等に入れて容易に持ち歩き可能となり携帯性にも優れる。
【００１３】
（２）  好適な態様により、ミラー部２を構成するに際し、主面部２ｍに設けた鏡面部２ｍｃ以外の面に、反射面部２ｍｒを設ければ、歩行者Ｈが後方を確認できることに加えて、歩行者Ｈに対して後方から近づく自動車のドライバは、ヘッドライトの光が当たる反射面部２ｍｒにより歩行者の存在を確認できる。したがって、歩行者Ｈ及び自動車のドライバの双方にとっての安全性をより高めることができる。
【００１４】
（３）  好適な態様により、ミラー部２を構成するに際し、異なる複数の鏡面部２ｍｃ，２ｍｐを切換可能に構成すれば、使い易い或いは見やすい鏡面部２ｍｃ，２ｍｐを選択したり、或いは道路状況等に対応した鏡面部２ｍｃ，２ｍｐを選択できるため、使用者Ｈの利便性及び使い勝手をより高めることができる。
【００１５】
（４）  好適な態様により、着脱部３を構成するに際し、棒体部Ｐｐを圧接により挟むクリップ部１１により構成すれば、棒体部Ｐｐに対して容易に着脱できるとともに、比較的簡易な構成により実施できるなど、実施の容易化及び低コスト化に寄与できる。
【００１６】
（５）  好適な態様により、着脱部３を構成するに際し、ミラー部２に格納可能に構成すれば、非使用時には、無用な突起部を排除できるため、更なる携帯性の向上に寄与できる。
【図面の簡単な説明】
【００１７】
【図１】本考案の好適実施形態に係る歩行者用バックミラーを主面部側から見た正面図、
【図２】同歩行者用バックミラーの図１中Ａ−Ａ線断面図、
【図３】同歩行者用バックミラーを裏面部側から見た背面図、
【図４】同歩行者用バックミラーの図３中Ｂ−Ｂ線断面図、
【図５】同歩行者用バックミラーの使用方法説明図、
【図６】同歩行者用バックミラーの使用状態説明図、
【図７】同歩行者用バックミラーの変更例の説明図、
【考案を実施するための形態】
【００１８】
次に、本考案に係る好適実施形態を挙げ、図面に基づき詳細に説明する。
【００１９】
まず、本実施形態に係る歩行者用バックミラー１の構成について、図１〜図４（図６）を参照して説明する。
【００２０】
バックミラー１は、図１及び図２に示すように、大別して、ミラー部２と着脱部３を備える。ミラー部２は、図１に示すように、全体を矩形形状に形成し、かつ図２に示すように、前後に所定の厚さを設けて構成する。これにより、ミラー部２の前後面における一方が主面部２ｍとなり、他方が裏面部２ｓとなる。
【００２１】
この場合、主面部２ｍには、外縁に沿った枠状に形成した反射面部２ｍｒを配設するとともに、この反射面部２ｍｒの内側の空間に矩形の鏡面部２ｍｃを配設する。これにより、歩行者Ｈ（図６参照）は、少なくとも歩行時に、後方に向けた鏡面部２ｍｃを介して後方を見ることができる。このように、ミラー部２を構成するに際し、主面部２ｍに設けた鏡面部２ｍｃ以外の面に、反射面部２ｍｒを設ければ、歩行者Ｈが後方を確認できることに加えて、歩行者Ｈに対して後方から近づく自動車のドライバは、ヘッドライトの光が当たる反射面部２ｍｒにより歩行者の存在を確認できる。したがって、歩行者Ｈ及び自動車のドライバの双方にとっての安全性をより高めることができる利点がある。
【００２２】
一方、裏面部２ｓには着脱部３を配設する。この着脱部３は、少なくとも歩行時に携帯する携帯品Ｐの棒体部Ｐｐに着脱可能となる機能を有する。携帯品Ｐには、例えば、雨傘及び日傘を含む傘類Ａ（図６参照）及びステッキ等を挙げることができるとともに、棒体部Ｐｐには、傘類ＡにおけるシャフトＡｐやステッキにおけるステッキ本体部等を挙げることができる。
【００２３】
着脱部３は、棒体部Ｐｐを圧接により挟むクリップ部１１により構成できる。着脱部３を構成するに際し、このようなクリップ部１１により構成すれば、棒体部Ｐｐに対して容易に着脱できるとともに、比較的簡易な構成により実施できるなど、実施の容易化及び低コスト化に寄与できる利点がある。また、実施形態で示すクリップ部１１は、ミラー部２に格納可能に構成した。このように構成することにより、非使用時には、無用な突起部を排除できるため、更なる携帯性の向上に寄与できる利点がある。
【００２４】
例示のクリップ部１１は、図３に示すように、クリップ上部２１ｕ，クリップ下部２１ｄ，このクリップ上部２１ｕとクリップ下部２１ｄを連結する連結部２１ｍを有するコの字形に構成したクリップ本体部２１と、ミラー部２に取付ける取付部２２と、この取付部２２と連結部２１ｍ間に設けた支持部２３とをプラスチック素材により一体に構成する。クリップ下部２１ｄは、図２に示すように、対峙する二つの把持部２１ｄｍと２１ｄｍにより構成し、各把持部２１ｄｍ…には、所定の弾性を持たせる。
【００２５】
これにより、図２に示すように、この把持部２１ｄｍと２１ｄｍ間に棒体部Ｐｐを挟むことができ、この棒体部Ｐｐに各把持部２１ｄｍと２１ｄｍが圧接する。なお、各把持部２１ｄｍ…は、当該機能を発揮できるように、厚さ，長さ，形状等を選定するとともに、各把持部２１ｄｍ…における棒体部Ｐｐに接触する面には、滑り止め処理を施すことが望ましい。他方のクリップ上部１１ｕも一対の把持部２１ｕｍ…により構成し、上述した把持部２１ｄｍ…と同様に構成する。
【００２６】
一方、ミラー部２の裏面部２ｓには、当該クリップ部１１を収容するための収容凹部２５を設ける。したがって、収容凹部２５の形状は、当該クリップ部１１の全体を収容できる形状に選定するとともに、収容凹部２５の深さは、当該クリップ部１１を収容した際に、裏面部２ｓから外方へ突出しない寸法を考慮する。そして、クリップ部１１は、図２に示すように、取付部２２を、支軸２２ｓを介して収容凹部２５の内壁に回動可能に取付ける。なお、図中、２６は、連結部２１ｍに一体に設けた係止部を示すとともに、３１，３１は収容凹部２５以外の裏面部２ｓに設けた反射面部を示す。
【００２７】
このように構成することにより、クリップ部１１は取付部２３（支軸２３ｓ）を支点に回動するとともに、特に、先端側に位置するクリップ上部２１ｕとクリップ下部２１ｄは、取付部２２を支点に旋回変位する。この結果、クリップ部１１は、図４に示すように、収容凹部２５の内部に格納することができるとともに、格納したクリップ部１１は、係止部２６を指で持ち上げることにより、図２に示すように、クリップ上部２１ｕとクリップ下部２１ｄを、裏面部２ｓの外方へ突出させることができる。
【００２８】
次に、本実施形態に係る歩行者用バックミラー１の使用方法について、図５及び図６を参照して説明する。
【００２９】
まず、非使用時には、図４に示すように、クリップ部１１をミラー部２の収容凹部２５に格納することができる。この状態におけるクリップ部１１は、ミラー部２の裏面部２ｓから突出することがないため、ミラー部２は偏平な直方体状になり、使用者Ｈの上着のポケットやバッグ等に入れて携帯することができる。このように、棒体部Ｐｐとバックミラー１は棒体部Ｐｐに対して着脱することを前提として構成するため、使用者Ｈは容易に持ち歩き可能となり携帯性に優れる。
【００３０】
一方、使用時には、バックミラー１における係止部２６を指で持ち上げることにより、図５に示すように、クリップ本体部２１を、矢印Ｆｒ方向に旋回変位させることができるため、裏面部２ｓの外側へ突出させ、例えば、開いた傘類ＡのシャフトＡｐ（棒体部Ｐｐ）にクリップ本体部２１を装着することができる。この場合、図５に示すように、クリップ上部２１ｕ及びクリップ下部２１ｄは、棒体部Ｐｐに対して、そのまま矢印Ｆｃ方向に嵌め込むことができる。これにより、図６に示すように、開いた傘類ＡのシャフトＡｐにバックミラー１を装着することができる。この際、使用者Ｈは、必要に応じてシャフトＡｐに対してクリップ本体部２１をスライドさせる等により上下に変位させ、バックミラー１の装着高さ（装着位置）を見やすい位置に調整する。
【００３１】
この結果、図６に示すように、傘類Ａを通常の使用態様により使用すれば、使用者Ｈは、前を向いて歩行する場合であっても、バックミラー１を通して後方を確認することができる。また、この際、夜間の場合、後方から接近する自動車のドライバは、ヘッドライトの光がバックミラー１における反射面部２ｍｒに反射することにより、走行者（使用者Ｈ）の存在を確認できる。したがって、前述したように、歩行者Ｈ及び自動車のドライバの双方にとっての安全性をより高めることができる。
【００３２】
このように、本実施形態に係る歩行者用バックミラー１は、基本形態として、道路を歩く歩行者（使用者Ｈ）が後を振り向くことなく後方を確認できる利便性を具備することに加えて、歩行時に携帯する携帯品Ｐ、例えば、雨傘及び日傘を含む傘類Ａ，ステッキ等における棒体部Ｐｐに対して着脱できるため、利便性及び汎用性に優れるとともに、棒体部Ｐｐとバックミラー１は着脱することを前提として構成するため、バックミラー１は上着のポケットやバッグ等に入れて容易に持ち歩き可能となり携帯性にも優れる。
【００３３】
次に、図７（ａ），（ｂ）及び（ｃ）を参照して、本実施形態に係る歩行者用バックミラー１の変更例について説明する。
【００３４】
図７（ａ）は、図１〜図７に示した基本実施形態に対して、着脱部３の取付形態を変更したものである。即ち、図７（ａ）に示す変更例は、着脱部３を設けるに際し、前述したクリップ本体部２１の連結部２１ｍに嵌込部３５を一体に設け、この嵌込部３５を、ミラー部２の一方の端辺部２ｑに設けた受凹部３６ｑに着脱可能に構成したものである。したがって、ミラー部２に対する格納機能は有していないが、ミラー部２に対する着脱機能を備えているため、着脱部３はミラー部２から取外した状態で保管したり携帯することができる。また、ミラー部２の他方の端辺部２ｐにも一方の受凹部３６ｑと同様の受凹部３６ｐを設けており、傘類Ａを左手に持ち替えたときには、嵌込部３５を受凹部３６ｑから受凹部３６ｐへ差し替えて使用することができる。
【００３５】
図７（ｂ）は、図１〜図７に示した基本実施形態に対して、着脱部３及びミラー部２の双方の構成を変更した変更例を示す。基本実施形態では、着脱部３を構成するに際し、弾性を有する二つの把持部２１ｄｍ…の組合わせにより構成したクリップ構造を示したが、変更例に示す着脱部３のクリップ構造は、固定把持部３５ｃ，支軸３５ｐにより回動自在に支持された可動把持部３５ｍ，この可動把持部３５ｍを固定把持部３５ｃ側に付勢するコイルスプリング３５ｓ及び可動把持部３５ｍを操作可能なレバー部３５ｒを備えて構成するとともに、この着脱部３を自在継手３６を介してミラー部２の端辺部２ｑに結合したものである。
【００３６】
また、ミラー部２は、主面部２ｍに平面ミラーを用いた鏡面部２ｍｃを設ける点は基本実施形態と同様であるが、裏面部２ｓに異なる鏡面部２ｍｐを設けた。例示は、視界がより広くなる凸面ミラーを用いた鏡面部２ｍｐを示す。これにより、ミラー部２の前後面を自在継手３６を介して反転させることができるため、ミラー部２を、異なる複数の鏡面部２ｍｃ，２ｍｐを切換えて使用することができる。このように構成すれば、使い易い或いは見やすい鏡面部２ｍｃ，２ｍｐを選択したり、或いは道路状況等に対応した鏡面部２ｍｃ，２ｍｐを選択できるため、使用者Ｈの利便性及び使い勝手をより高めることができる利点がある。なお、自在継手３６は着脱可能に構成することにより、ミラー部２の前後面を反転できるようにしてもよい。
【００３７】
図７（ｃ）は、図７（ａ）に示した変更例をベースにして、裏面部２ｓに太陽光発電を行う複数のソーラーパネル３８…を配設したものである。また、主面部２ｍにはＬＥＤを用いたライト３９を配設する。なお、図示を省略したが、ミラー部２の内部には、ライト３９を点灯或いは点滅させるためのバッテリ及び点滅回路を備えている。
【００３８】
これにより、バックミラー１を傘類Ａ、特に日傘に取付けた場合には、使用中にソーラーパネル３８…の発電をバッテリに蓄電できるため、夜間の歩行時には、バッテリ及び点滅回路からの給電によりライト３９を点滅させることが可能となる。これにより、歩行者Ｈ自身の存在を、後方から近づく自動車等に認識させることができる。この場合、カーブした道路において、ヘッドライトの光が反射面部２ｍｒに当たらない場合などに有効となる。
【００３９】
以上、好適実施形態（基本実施形態）及び変更例について詳細に説明したが、本考案は、このような実施形態に限定されるものではなく、細部の構成，形状，素材，数量，数値等において、本考案の要旨を逸脱しない範囲で、任意に変更，追加，削除することができる。例えば、ミラー部２は、主面部２ｍに設けた鏡面部２ｍｃ以外の面に、反射面部２ｍｒを設けることが望ましいが、必須の構成要素となるものではない。また、異なる鏡面部２ｍｐとして凸面ミラーを例示したが、角度の異なる複数の平面ミラーを組合わせるなど、各種形態のミラーを適用することができる。さらに、着脱部３として、クリップ部１１を例示したが、ミラー部２を棒体部Ｐｐに着脱することができる各種着脱部３を利用することができる。
【産業上の利用可能性】
【００４０】
本考案に係る歩行者用バックミラーは、道路を歩く歩行者が後方を確認する際に利用できるとともに、雨傘及び日傘を含む傘類，ステッキ等の各種携帯品に取付けて使用することができる。
【符号の説明】
【００４１】
１：歩行者用バックミラー，２：ミラー部，２ｍ：主面部，２ｍｃ：鏡面部，２ｍｒ：反射面部，３：着脱部，１１：クリップ部，Ｈ：歩行者，Ｐ：携帯品，Ｐｐ：棒体部，Ａ：傘類
【図１】
0003198477.tif 000003
【図２】
0003198477.tif 000004
【図３】
0003198477.tif 000005
【図４】
0003198477.tif 000006
【図５】
0003198477.tif 000007
【図６】
0003198477.tif 000008
【図７】
0003198477.tif 000009